(57)【特許請求の範囲】
【請求項１】
パレット内に焼結原料を装入し、該パレットを進行させながら、前記焼結原料を焼結する焼結機の点火炉であって、
前記パレットを挟んで、該パレットの進行方向に直交する幅方向に対向配置される一対の側壁と、
前記パレットの進行方向における、前記一対の側壁の前側端部同士及び後側端部同士を連結する一対の仕切壁と、
前記一対の側壁及び前記一対の仕切壁で囲まれた空間の上面を覆う天井壁と、前記天井壁を貫通して該天井壁と一体的に設けられ、下方に火炎を放射して、前記パレット内の焼結原料を加熱・点火する複数のバーナとを備え、
前記天井壁が上下に移動する可動壁とされ、
前記可動壁は、複数の壁ブロックを組み合わせて構成されて、各壁ブロックが独立して上下に移動可能とされ、
前記可動壁と他の壁のジョイント部、又は、隣り合う前記壁ブロックのジョイント部には、耐火シールが施され、
前記ジョイント部には、該ジョイント部で向き合う各壁又は各壁ブロックのジョイント面にセラミックファイバシートが張り付けられていることを特徴とする焼結機の点火炉。
【請求項２】
請求項１に記載の焼結機の点火炉において、
前記ジョイント部には、側面略Ｕ字状に折り曲げられ、前記ジョイント部で向き合う各壁又は各壁ブロックのジョイント面に、端部が張り付けられた１枚のセラミックファイバシートが介在していることを特徴とする焼結機の点火炉。
【請求項３】
請求項１に記載の焼結機の点火炉において、
前記ジョイント部上面には、前記セラミックファイバシートの当接面上部に、セラミックロープが設けられていることを特徴とする焼結機の点火炉。
【請求項４】
請求項１乃至請求項３のいずれかに記載の焼結機の点火炉において、
前記天井壁には、前記点火炉内部の温度を測定する温度検出センサが設けられていることを特徴とする焼結機の点火炉。
【請求項５】
請求項４に記載の焼結機の点火炉において、
前記温度検出センサは、前記天井壁の幅方向に複数配列して設けられていることを特徴とする焼結機の点火炉。
【請求項６】
請求項５に記載の焼結機の点火炉において、
複数の前記温度検出センサは、前記パレットの進行方向における、前記複数のバーナの下流側に配置されていることを特徴とする焼結機の点火炉。
【請求項７】
請求項１乃至請求項６のいずれかに記載の焼結機の点火炉において、
前記一対の仕切壁のうち、少なくともいずれかの仕切壁も、可動壁であることを特徴とする焼結機の点火炉。
【請求項８】
請求項１乃至請求項７のいずれかに記載の焼結機の点火炉において、
前記一対の側壁のうち、少なくともいずれかの側壁も、可動壁であることを特徴とする焼結機の点火炉。
【請求項９】
請求項１乃至請求項８のいずれかに記載の焼結機の点火炉において、
前記天井壁は、上面に配置される金属製の板状体と、この板状体の下面に設けられる係止片に係止され、下方に垂下する耐火物支持体と、前記耐火物支持体の周りの空間に流し込まれた不定形耐火物が硬化した耐火物硬化体とを備えていることを特徴とする焼結機の点火炉。
【請求項１０】
請求項１乃至請求項９のいずれかに記載の焼結機の点火炉において、
前記天井壁は、上面に配置される金属製の板状体と、前記板状体の下面に設けられ、下方に垂下する金属製支持体と、前記金属製支持体の周りの空間に流し込まれた不定形耐火物が硬化した耐火物硬化体とを備えていることを特徴とする焼結機の点火炉。
【請求項１１】
パレット内に焼結原料を装入し、該パレットを進行させながら、前記焼結原料を焼結する焼結機の点火炉の炉内温度調整方法であって、
前記点火炉は、
前記パレットを挟んで、該パレットの進行方向に直交する幅方向に対向配置される一対の側壁と、
前記パレットの進行方向における、前記一対の側壁の前側端部同士及び後側端部同士を連結する一対の仕切壁と、
前記一対の側壁及び前記一対の仕切壁で囲まれた空間の上面を覆う天井壁と、
前記天井壁を貫通して該天井壁と一体的に設けられ、下方に火炎を放射して、前記パレット内の焼結原料を加熱・点火する複数のバーナとを備え、
前記天井壁が上下に移動する可動壁とされ、
該可動壁は、複数の壁ブロックを組み合わせて構成されて、各壁ブロックが独立して上下に移動可能とされ、
前記可動壁と他の壁のジョイント部、又は、隣り合う前記壁ブロックのジョイント部には、耐火シールが施され、
前記ジョイント部には、該ジョイント部で向き合う各壁又は各壁ブロックのジョイント面にセラミックファイバシートが張り付けられ、
前記天井壁に温度検出センサを設置して、前記点火炉内の幅方向の炉内温度の分布を測定する手順と、
測定された炉内温度の分布に基づいて、前記可動壁を上下に移動させ、前記点火炉の炉内温度を調整する手順とを実施することを特徴とする焼結機の点火炉の炉内温度調整方法。
【請求項１２】
請求項１１に記載の焼結機の点火炉の炉内温度調整方法において、
前記炉内温度の分布を測定する手順は、前記パレットの進行方向における、前記複数のバーナの下流側に、前記温度検出センサを幅方向に複数配列し、各温度検出センサの測定値から、前記炉内温度の温度分布を測定することを特徴とする焼結機の点火炉の炉内温度調整方法。
【発明の詳細な説明】
【技術分野】
【０００１】
本発明は、焼結機の点火炉、点火炉の炉内温度調整方法に関する。
【背景技術】
【０００２】
従来、焼結鉱の製造には、ドワイドロイド式直線焼結機等の焼結機が用いられることが知られている。この焼結機は、無端状に連結された複数のパレット内に、焼結原料を装入し、動力源によってパレットを進行させながら、点火炉によって焼結原料を点火し、通風によって燃焼を継続させることにより、焼結原料の焼結を行うものである。焼結原料は、粉体の鉱石の組成に応じて、生石灰、酸化ケイ素、粉コークス等の凝結材、及び水分を加えて混合して生成される。
点火炉は、上述した成分から構成される焼結原料に点火する炉であり、一対の側壁、一対の仕切壁、天井壁、及びバーナを備えて構成される。
一対の側壁は、パレットの進行方向に直交する幅方向端部に配置され、一対の仕切壁は、パレットの進行方向における、一対の側壁の前側端部同士及び後側端部同士を連結している。天井壁は、一対の側壁及び一対の仕切壁で囲まれた空間の上面を覆い、複数のバーナは、天井壁に貫通して設けられ、下方に火炎を放射して、パレット内の焼結原料を加熱する。
【０００３】
ところで前述した焼結機においては、点火炉における炉内温度を均一に維持することができない場合や、ホッパからパレット内に装入される焼結原料の量が異なり、原料層の層厚が異なる場合があり、このような場合、パレット内に装入された焼結原料の加熱ムラが生じてしまうという問題がある。
このため、従来、点火炉の天井壁に設置されるバーナのうち、パレットの進行方向に直交する幅方向端部に配置されるバーナを、パレット内壁の傾斜面に沿った角度に配置し、焼結原料を過不足なく加熱する構造が提案されている（例えば、特許文献１参照）。
また、天井壁に設置されるバーナを天井壁に対して上下させることにより、焼結原料の加熱ムラを防止する方法が提案されている（例えば、特許文献２参照）。
【０００４】
【特許文献１】特開平１−１１４６９２号公報
【特許文献２】特開平３−１７４９７号公報
【発明の開示】
【発明が解決しようとする課題】
【０００５】
しかしながら、前記特許文献１に開示される技術では、天井壁の形状がフラットで、かつ天井の高さ位置が固定されているため、バーナの角度を変更しただけでは、炉内の幅方向の温度分布を均一とすることは実際上困難である。加えて、天井壁の高さ位置が固定され、バーナも天井壁に固定されているため、パレット内に装入された焼結原料の量によっては、バーナから放射された火炎によって焼結原料が天井、側壁等に溶融付着し、耐火物が損傷する可能性がある。
【０００６】
また、前記特許文献２に開示される技術では、天井壁の高さ位置を固定した状態でバーナを上下に移動させているため、天井壁とバーナ間に隙間が生じ、この隙間から大気が侵入して、炉内温度が安定しにくいという可能性がある。
さらに、天井壁の高さ位置を固定した状態でバーナを上下に移動させると、例えば、下降させたバーナの直下の原料が選択的に加熱され、却って加熱ムラを生じてしまうという可能性がある。
【０００７】
本発明の目的は、パレット内の焼結原料の加熱ムラを生じさせることなく、かつ、安定した品質の焼結鉱を製造することのできる、焼結機の点火炉、及び点火炉の炉内温度調整方法を提供することにある。
【課題を解決するための手段】
【０００８】
本発明は、以下の構成を要旨とするものである。
（１）  パレット内に焼結原料を装入し、該パレットを進行させながら、前記焼結原料を焼結する焼結機の点火炉であって、
前記パレットを挟んで、該パレットの進行方向に直交する幅方向に対向配置される一対の側壁と、
前記パレットの進行方向における、前記一対の側壁の前側端部同士及び後側端部同士を連結する一対の仕切壁と、
前記一対の側壁及び前記一対の仕切壁で囲まれた空間の上面を覆う天井壁と、
前記天井壁を貫通して該天井壁と一体的に設けられ、下方に火炎を放射して、前記パレット内の焼結原料を加熱・点火する複数のバーナとを備え、
前記天井壁が上下に移動する可動壁とされ、
前記可動壁は、複数の壁ブロックを組み合わせて構成されて、各壁ブロックが独立して上下に移動可能とされ、
前記可動壁と他の壁のジョイント部、又は、隣り合う前記壁ブロックのジョイント部には、耐火シールが施され、
前記ジョイント部には、該ジョイント部で向き合う各壁又は各壁ブロックのジョイント面にセラミックファイバシートが張り付けられていることを特徴とする焼結機の点火炉。
【００１０】
（２）  （１）に記載の焼結機の点火炉において、
前記ジョイント部には、側面略Ｕ字状に折り曲げられ、前記ジョイント部で向き合う各壁又は各壁ブロックのジョイント面に、端部が張り付けられた１枚のセラミックファイバシートが介在していることを特徴とする焼結機の点火炉。
（３）  （１）に記載の焼結機の点火炉において、
前記ジョイント部上面には、前記セラミックファイバシートの当接面上部に、セラミックロープが設けられていることを特徴とする焼結機の点火炉。
【００１１】
（４）  （１）乃至（３）のいずれかに記載の焼結機の点火炉において、
前記天井壁には、前記点火炉内部の温度を測定する温度検出センサが設けられていることを特徴とする焼結機の点火炉。
（５）  （４）に記載の焼結機の点火炉において、
前記温度検出センサは、前記天井壁の幅方向に複数配列して設けられていることを特徴とする焼結機の点火炉。
（６）  （５）に記載の焼結機の点火炉において、
複数の前記温度検出センサは、前記パレットの進行方向における、前記複数のバーナの下流側に配置されていることを特徴とする焼結機の点火炉。
【００１２】
（７）  （１）乃至（６）のいずれかに記載の焼結機の点火炉において、
前記一対の仕切壁のうち、少なくともいずれかの仕切壁も、可動壁であることを特徴とする焼結機の点火炉。
（８）  （１）乃至（７）のいずれかに記載の焼結機の点火炉において、
前記一対の側壁のうち、少なくともいずれかの側壁も、可動壁であることを特徴とする焼結機の点火炉。
（９）  （１）乃至（８）のいずれかに記載の焼結機の点火炉において、
前記天井壁は、上面に配置される金属製の板状体と、この板状体の下面に設けられる係止片に係止され、下方に垂下する耐火物支持体と、前記耐火物支持体の周りの空間に流し込まれた不定形耐火物が硬化した耐火物硬化体とを備えていることを特徴とする焼結機の点火炉。
（１０）  （１）乃至（９）のいずれかに記載の焼結機の点火炉において、
前記天井壁は、上面に配置される金属製の板状体と、前記板状体の下面に設けられ、下方に垂下する金属製支持体と、前記金属製支持体の周りの空間に流し込まれた不定形耐火物が硬化した耐火物硬化体とを備えていることを特徴とする焼結機の点火炉。
【００１３】
（１１）  パレット内に焼結原料を装入し、該パレットを進行させながら、前記焼結原料を焼結する焼結機の点火炉の炉内温度調整方法であって、
前記点火炉は、
前記パレットを挟んで、該パレットの進行方向に直交する幅方向に対向配置される一対の側壁と、
前記パレットの進行方向における、前記一対の側壁の前側端部同士及び後側端部同士を連結する一対の仕切壁と、
前記一対の側壁及び前記一対の仕切壁で囲まれた空間の上面を覆う天井壁と、
前記天井壁を貫通して該天井壁と一体的に設けられ、下方に火炎を放射して、前記パレット内の焼結原料を加熱・点火する複数のバーナとを備え、
前記天井壁が上下に移動する可動壁とされ、
該可動壁は、複数の壁ブロックを組み合わせて構成されて、各壁ブロックが独立して上下に移動可能とされ、
前記可動壁と他の壁のジョイント部、又は、隣り合う前記壁ブロックのジョイント部には、耐火シールが施され、
前記ジョイント部には、該ジョイント部で向き合う各壁又は各壁ブロックのジョイント面にセラミックファイバシートが張り付けられ、
前記天井壁に温度検出センサを設置して、前記点火炉内の幅方向の炉内温度の分布を測定する手順と、
測定された炉内温度の分布に基づいて、前記可動壁を上下に移動させ、前記点火炉の炉内温度を調整する手順とを実施することを特徴とする焼結機の点火炉の炉内温度調整方法。
（１２）  （１１）に記載の焼結機の点火炉の炉内温度調整方法において、
前記炉内温度の分布を測定する手順は、前記パレットの進行方向における、前記複数のバーナの下流側に、前記温度検出センサを幅方向に複数配列し、各温度検出センサの測定値から、前記炉内温度の分布を測定することを特徴とする焼結機の点火炉の炉内温度調整方法。
【発明の効果】
【００１４】
本発明では、可動壁は、一対の側壁、一対の仕切壁、天井壁のいずれか、又はこれら壁の任意の組合せ、さらには全部の壁であってもよい。また、可動壁は、壁の一部が上下に移動してもよく、全部が一体で上下するように構成してもよい。また、上下に移動するとは、上下にスライドする構造であってもよく、可動壁の一端を軸として回動するような構造であってもよい。要するに、可動壁は、上下に移動することにより、点火炉内部の容積を変更したり、実質的にバーナを壁毎に、パレット中の焼結原料に接近、離間させる構造であればよい。
この発明によれば、一対の側壁、一対の仕切壁、天井壁のうち、少なくともいずれかの壁の少なくとも一部が上下に移動する可動壁とし、可動壁を移動させることにより、点火炉の炉内容積や放熱量を変化させることができる。従って、点火炉の内部の温度を測定して炉内の温度分布を把握し、炉内の温度分布に応じて可動壁を適切に移動させることにより、炉内の温度分布を均一に調整することができ、製品である焼結鉱の品質を安定させることができる。
また、可動壁を天井壁とすることにより、天井壁とともにバーナも上下に移動するため、バーナによる焼結原料への点火を容易にすることができる。
【００１５】
本発明では、可動壁は複数の壁ブロックを組み合わせて構成され、各壁ブロックが独立して上下に可動可能とされているのが好ましい。壁ブロックを組合せて構成する壁としては、一対の側壁、一対の仕切壁、及び天井壁の少なくともいずれかであればよい。
この発明によれば、可動壁が壁ブロックを組合せて構成されることにより、壁ブロックを必要最小限上下に移動させるだけで炉内の温度分布を調整することができ、さらには、壁全体を上下させる場合よりも、より細やかな温度分布の調整を実現できる。
【００１６】
本発明では、可動壁と他の壁のジョイント部、又は、隣り合う壁ブロックのジョイント部には、耐火シールが施されているのが好ましい。
ここで、耐火シールが施されるジョイント部の構成としては、ジョイント部で向き合う各壁又は各壁ブロックのジョイント面にセラミックファイバシートが張り付けられた構成を採用することができ、又は、側面略Ｕ字状に折り曲げられ、ジョイント部で向き合う各壁又は各壁ブロックのジョイント面に、端部が張り付けられた１枚のセラミックファイバシートが介在した構成を採用することができる。
この発明によれば、ジョイント部に耐火シールを施すことにより、ジョイント部から炉内の熱気が外部に放出されることを防止できるため、炉内を安定した温度分布とすることができる。
【００１７】
本発明では、天井壁に点火炉内部の温度を測定する温度検出センサが設けられているのが好ましく、より好ましくは、温度検出センサが天井壁の幅方向に複数配列して設けられているのが好ましく、特に、複数の温度検出センサが、パレットの進行方向における、複数のバーナの下流側に配置されているのが好ましい。
この発明によれば、温度検出センサにより、点火炉内部の温度分布を測定することができるため、測定結果に応じて可動壁の位置を調整することで、点火炉内部の温度分布を均一にすることができる。
また、焼結機では、幅方向に温度分布のバラツキが生じ易いので、温度検出センサを幅方向に複数配列して、各温度検出センサの測定値からより高精度に点火炉内部の温度分布を把握することができる。
さらに、複数の温度検出センサが複数のバーナの下流側に配置されることにより、バーナの火炎による炉内の温度分布を正確に把握することができるため、一層高精度に点火炉内部の温度分布を把握することができる。
【００１８】
本発明では、可動壁は一対の仕切壁のうち、少なくともいずれかの仕切壁であるのが好ましく、より好ましくは、パレットの進行方向における下流側の仕切壁である。
この発明によれば、仕切壁を可動させることにより、パレット進行方向におけるバーナから放射された火炎の流れを制御することができるため、焼結原料の加熱ムラを無くして均一な品質の焼結鉱を製造することができる。
本発明では、可動壁は一対の側壁のうち、少なくともいずれかの側壁であるのが好ましく、一対の側壁いずれもが独立して上下に移動するのがより好ましい。
この発明によれば、側壁を上下に移動することにより側壁とパレット側面の重なり代を調整することができるため、パレット側面の外部から導入される空気の量を調整することで、炉内温度の分布を制御し易くなる。
【００１９】
本発明では、天井壁は、上面に配置される金属製の板状体と、この板状体の下面に設けられる係止片に係止され、下方に垂下する耐火物支持体と、耐火物支持体の周りの空間に流し込まれた不定形耐火物が硬化した耐火物硬化体とを備えて構成することができる。
また、天井壁を、上面に配置される金属製の板状体と、板状体の下面に設けられ、下方に垂下する金属製支持体と、金属製支持体の周りの空間に流し込まれた不定形耐火物が硬化した耐火物硬化体とを備えた構成としてもよい。
さらに、天井壁は、耐火物支持体及び金属製支持体を併用して構成してもよい。
この発明によれば、耐火物硬化体は、耐火物支持体及び金属製支持体の少なくともいずれかにより板状体に固定されるため、耐火物硬化体の面を、下面として天井壁に設置した際、耐火物硬化体が金属製の板状体から脱落することを防止できる。また、耐火物支持体を用いることにより、高温下でも耐火物硬化体を強固に板状体下面に保持することができる。
【００２０】
本発明の炉内温度調整方法によれば、前述したように、温度検出センサで測定した温度から炉内の温度分布を把握して、これに基づいて可動壁の位置を調整することで点火炉内部の温度分布を均一にすることができ、加熱ムラのない高品質な焼結鉱を製造することができる。
また、複数の温度センサを、パレットの進行方向における、複数のバーナの下流側に配置することにより、炉内温度分布の測定を一層高精度に行うことができる。
【発明を実施するための最良の形態】
【００２１】
以下、本発明の実施形態について説明する。ちなみに、本発明の実施形態は、以下に記載する実施形態に限定されるものではない。
図１、図２には、本発明の実施形態に係るドワイドロイド式の焼結機１が示されている。この焼結機１は、粉末状の金属に、生石灰、酸化ケイ素、粉コークス等の凝結材を添加し、水分を加えて混練した焼結原料をパレット中に装入し、上部からバーナ火炎により加熱して焼結させ、焼結鉱を製造する装置であり、フィーダ２、パレット３、クローラ４、駆動輪５、遊動輪６、ダクト７、及び点火炉８を備えて構成される。
【００２２】
フィーダ２は、上部から焼結原料が供給され、下部排出口からパレット３内に所定量の焼結原料を装入する原料供給部である。
パレット３は複数設けられており、各パレット３は、クローラ４によって連結されている。このパレット３は、図２に示されるように、上部が開口された箱形状の金属製の容器であり、底部には、パレット３の連結方向に沿って延びるスリット状の開口が複数形成されている。
パレット３の高さは略７００ｍｍとされ、パレット３内には、４００ｍｍ〜７００ｍｍの高さで焼結原料Ｍがフィーダ２から装入される。
【００２３】
クローラ４は、駆動輪５、遊動輪６に巻回される金属製の無端ベルトとして構成され、図２に示されるように、パレット３の幅方向端部を支持している。そして、駆動輪５を動力源により回転させると、クローラ４が回転し、連結された複数のパレット３が所定の速度で進行する。
ダクト７は、図示を略したが、ブロアに接続されており、ブロアを動作させると、パレット３の下方空間の空気を吸い出し、これに伴い、パレット３の上方から冷却された空気が導入され、点火炉８によって点火された焼結原料の燃焼を維持するとともに、燃焼後の焼結鉱を冷却する。
【００２４】
このような焼結機１では、フィーダ２に焼結原料が供給されると、下部排出口から所定量の焼結原料がパレット３内に装入され、駆動輪５の駆動とともに、各パレット３は、点火炉８に進行し、点火炉８内で焼結原料が点火される。焼結原料Ｍの点火後、点火した焼結原料Ｍは、ダクト７の吸い出しに伴う空気により、燃焼が維持され、空気により冷却され、図１では図示を略したが、クラッシャによって破砕され、所定径の焼結鉱が製造される。
【００２５】
点火炉８は、図３及び図４に示されるように、底部が開口された直方体状の箱体であり、一対の側壁９、一対の仕切壁１０、天井壁１１、及びバーナ１２、１３、１４を備えて構成される。尚、図３は、下方から見上げた天井壁１１の下面図であり、図４は、パレット３の進行方向から見た側面図である。
一対の側壁９は、パレット３の進行方向に沿って延びるように形成され、パレット３を挟むように対向配置され、各側壁９は、点火炉８に立設される複数本の支柱１５に支持される。各側壁９の下端は、パレット３の側壁３Ａの上端部を覆う位置まで延出している。
【００２６】
一対の仕切壁１０は、パレット３の進行方向における側壁９の前側端部同士、後側端部同士を連結するように設けられている。各仕切壁１０の上端は、側壁９の上端と揃えられ、側壁９を支持する支柱１５間に架設されるフレーム１６に取り付けられている。また、各仕切壁１０の下端は、側壁９の下端よりも上側に位置している。
天井壁１１は、一対の側壁９及び一対の仕切壁１０によって囲まれる空間の上面を覆うように設けられており、仕切壁１０と同様に、フレーム１６に支持されている。この天井壁１１には、図３のＡ１−Ａ１線における断面図である図５に示されるように、天井壁１１を貫通して、複数のバーナ１２、１３が設けられている。
【００２７】
パレット３の進行方向における、上流側のバーナ１２は、図３のＡ２−Ａ２線における断面図である図６に示されるように、点火炉８の幅方向に複数配列して設けられ、幅方向両端にはバーナ１４が複数設けられている。
また、パレット３の進行方向における、下流側のバーナ１３は、図３のＡ３−Ａ３線における断面図である図７に示されるように、バーナ１２と同様に点火炉８の幅方向に複数配列して設けられ、幅方向両端にはバーナ１４が複数設けられている。
【００２８】
バーナ１２、１３、１４は、火炎放射口が天井壁１１の下面に露出するように設けられ、バーナ１２、１３、１４の火炎放射管１２Ａ、１３Ａ、１４Ａは、天井壁１１と一体化されている。尚、バーナ１２、バーナ１３の相違は、図５に示されるように、バーナ１２では火炎放射管１２Ａの断面が下方に行くに従って拡がる円錐台形状の断面に形成されているのに対して、バーナ１３ではパレット３の進行方向に沿った火炎放射管１３Ａの断面が下方に行くに従って狭まる三角形状の断面に形成されている点にある。また、バーナ１４は、バーナ１２、１３よりも小型のものである。
【００２９】
本実施形態では、点火炉８の幅方向端部近傍で側壁９の下端と、パレット３の上端との間に隙間が形成されているため、この近傍での点火炉８の炉内温度が中央部よりも低下し易いため、複数の小型のバーナ１４を配置して火炎の密度を高くすることにより、幅方向端部近傍での炉内温度の低下を防止している。
しかしながら、点火炉８の構造は、これに限られず、例えば、図８に示されるように、バーナ１２を点火炉８の幅方向に均等に配置した構成としてもよく、パレット３の進行方向に１段又は３段にバーナ１２、１３を配列してもよい。要するに、バーナ１２、１３、１４の配置は、点火炉８の炉内温度が均一となるように、適宜設ければよい。
【００３０】
次に、図３に示されるように、さらに、天井壁１１の下面には、点火炉８の炉内温度を測定するために、温度検出センサ１７が複数設けられている。この温度検出センサ１７は、熱電対をセラミックス製の保護管で被覆して構成され、天井壁１１を貫通して設けられ、保護管が天井壁１１の下面に露出している。
この温度検出センサ１７は、バーナ１２の上流側の略中央に１箇所、下流側に３箇所設けられており、下流側の複数の温度検出センサ１７は、点火炉８の幅方向に複数配列して設けられている。本実施形態では、下流側の複数の温度検出センサ１７は、幅方向両端及び略中央に設けられているが、より高精度に炉内温度を測定する場合には、温度検出センサ１７の本数を増やせばよい。
【００３１】
前述した側壁９、仕切壁１０、及び天井壁１１は、図３乃至図６に示されるように、側壁ブロック１９、仕切壁ブロック２０、天井壁ブロック２１、２２を複数組み合わせて構成される。
すなわち、側壁９は、側壁ブロック１９をパレット３の進行方向に３個配列して構成される（図３参照）。側壁ブロック１９は、図６に示されるように、点火炉８の外周面に配置される鉄皮２３と、鉄皮２３の内面に溶接固定される複数の側面Ｃ字状のチャンネル材２４と、各チャンネル材２４に係止される複数の耐火物支持体２５と、各耐火物支持体２５の間の空間に不定形耐火物として流し込まれ、硬化した耐火物硬化体２６とを備えている。
【００３２】
仕切壁１０は、仕切壁ブロック２０をパレット３の幅方向に５個配列して構成される（図４参照）。仕切壁ブロック２０は、図５に示されるように、点火炉８の外周面及び上面に配置される鉄皮２３と、この鉄皮２３の内部に配置される冷却配管部材２３Ａと、鉄皮２３及び冷却配管部材２３Ａの間に不定形耐火物として流し込まれ、硬化した耐火物硬化体２６とを備えて構成される。冷却配管部材２３Ａには、外部から冷却水が循環するようになっていて、仕切壁ブロック２０が必要以上に高温となるのを防止している。
【００３３】
天井壁１１は、複数の天井壁ブロック２１、２２を平面的に配列して構成され、天井壁ブロック２１及び天井壁ブロック２２の相違は、天井壁ブロック２１が天井面を完全に覆うように形成されているのに対して、天井壁ブロック２２がバーナ１２、１３、１４を貫通させる孔が形成されている点にある。
各天井壁ブロック２１、２２は、側壁ブロック１９と同様に、上面に配置される鉄皮２３と、鉄皮２３の下面に溶接固定される側面Ｃ字状の複数のチャンネル材２４と、各チャンネル材２４に係止され、下方に垂下する複数の耐火物支持体２５と、各耐火物支持体２５の間に不定形耐火物として流し込まれ、硬化した耐火物硬化体２６とを備えている。
【００３４】
耐火物支持体２５は、図９に示されるように、下方に垂下する直方体状の耐火物から構成され、チャンネル材２４に係合する基部２５１と、略中央から下方先端に亘って側面に形成される凹凸部２５２とを備えて構成され、凹凸部２５２部分が不定形耐火物で充填された状態で硬化することにより、耐火物硬化体２６は鉄皮２３に対して固定される。尚、耐火物支持体２５は、アルミナ、シリカ等を主原料とする耐火物粉末にバインダ等を添加して、プレス等により成形し、成形体を焼成することにより得られる。
【００３５】
天井壁ブロック２１、２２は、前述した耐火物支持体２５に加えて、図１０、図１１に示されるように、金属製支持体２７、２８を備え、これにより、側壁ブロック１９等よりより強固に不定形耐火物硬化体２６の固定がなされている。
金属製支持体２７、２８は、鉄皮２３の下面に溶接固定される基部２７１、２８１と、この基部２７１、２８１から鉛直下方に延びる軸部２７２、２８２と、軸部２７２、２８２の中間及び先端に設けられるアンカー部２７３、２８３とを備えて構成される。アンカー部２７３、２８３は、軸部２７２、２８２の中間部分及び先端部に溶接固定される正面Ｙ字状の部材である。尚、金属製支持体２７の先端部のアンカー部２７３は、板状体を折り曲げて形成されたものであり、他のアンカー部２７３、２８３は、軸部２７２、２８２と同様の棒状体をＹ字状に折り曲げて形成される。これら金属製支持体２７、２８は、ステンレス製等の金属材料を加工して形成される。
【００３６】
前述した天井壁ブロック２１、２２は、具体的には、次のようにして製造される。
まず、鉄皮２３を基台に設置し、チャンネル材２４、金属製支持体２７、２８を鉄皮２３に溶接固定する。
次に、溶接固定されたチャンネル材２４内に耐火物支持体２５を、チャンネル材２４の側方から差し込み、耐火物支持体２５の基部２５１をチャンネル材２４に係止させる。また、この際、バーナ１２、１３、１４の火炎放射管１２Ａ、１３Ａ、１４Ａも鉄皮２３上に設置しておく。
最後に、天井壁ブロック２１、２２の大きさに応じた型枠板で耐火物支持体２５、金属製支持体２７、２８、及び火炎放射管１２Ａ〜１４Ａの設置された空間を囲み、必要に応じて鉄皮２３の上面にセラミックス製のフェルトに水を含浸させたウェットフェルトを敷き詰め、その上に水で混練したスラリー状の不定形耐火物を流し込み、所定の雰囲気で養生し、硬化させて耐火物硬化体２６とする。
一方、側壁ブロック１９は、天井壁ブロック２１、２２の場合と略同様に、鉄皮２３を基台に設置して、チャンネル材２４を溶接した後、耐火物支持体２５をチャンネル材２４に係止させた後、不定形耐火物を流し込み、所定の雰囲気で養生し、硬化させて耐火物硬化体２６とすることにより、製造される。
また、仕切壁ブロック２０は、鉄皮２３を基台に設置し、冷却配管部材２３Ａを鉄皮２３に固定した後、不定形耐火物を流し込み、所定の雰囲気で養生し、硬化させて耐火物硬化体２６とすることにより製造される。
【００３７】
本実施形態では、流し込む不定形耐火物の構成は、側壁ブロック１９、仕切壁ブロック２０、天井壁ブロック２１、２２で異なるものとしている。
具体的には、側壁ブロック１９は、鉄皮２３面上に流し込まれるアルミナシリカ系の断熱キャスタブルと、その上に流し込まれるアルミナ及びＣａＯを主成分とする耐火キャスタブルとの２層構成からなり、厚さは、略４００ｍｍに設定されている。
仕切壁ブロック２０は、内部に冷却配管部材２３Ａが設けられているので、アルミナ及びＣａＯを主成分とする耐火キャスタブルのみからなり、厚さは、略３００ｍｍで設定している。
天井壁ブロック２１、２２は、鉄皮２３の面にセラミックファイバ製のウェットフェルトを２層敷き詰め、その上にアルミナシリカ系の断熱キャスタブルを流し込み、さらにその上に流し込まれるアルミナ及びＣａＯを主成分とする耐火キャスタブルとの４層構成とされ、厚さは、略４００ｍｍに設定されている。
【００３８】
このような側壁９、仕切壁１０、天井壁１１間のジョイント部、及び側壁ブロック１９、仕切壁ブロック２０、天井壁ブロック２１、２２同士のジョイント部には、耐火シール処理が施されている。
具体的に天井壁ブロック２１、２２間のジョイント部で説明すると、図１２（Ａ）、（Ｂ）に示されるように、ジョイント部で向き合う天井壁ブロック２１のジョイント面２１１及び天井壁ブロック２２のジョイント面２２１には、セラミックファイバシート２９が張り付けられている。セラミックファイバシート２９はアルミナ、シリカ、あるいはこれに加えてＺｒＯ２等の金属酸化物を原料とし、スピニング法で製造された繊維を積層し、ニードリングを行ってブランケット状に形成したシート状体として構成される。
【００３９】
このセラミックファイバシート２９は、シリカ、アルミナを主成分とするシャモット質骨材に無機バインダを添加して混練した接着剤により、各天井壁ブロック２１、２２のジョイント面２１１、２２１に張り付けられる。
また、詳しくは後述するが、セラミックファイバシート２９は、図１２（Ｂ）に示されるように、天井壁ブロック２１、２２の高さ位置を変更した場合であっても、耐火シール性能が損なわれないように、ジョイント面２１１、２２１の全面に亘って張り付けられている。
尚、セラミックファイバシート２９の張り付けは、これに限られるものではなく、例えば、図１３に示されるように、天井壁ブロック２１、２２の略２倍の高さ寸法を有するセラミックファイバシート３０を、略中央部でＵ字状に折り曲げて、セラミックファイバシート３０の端部を、各天井壁ブロック２１、２２のジョイント面２１１、２２１の下方部分３１で接着するようにしてもよく、このような場合も、天井壁ブロック２１、２２の高さ位置を変更しても、耐火シール性能が損なわれることはない。
【００４０】
また、天井壁ブロック２１、２２のジョイント部上面には、図１４に示されるように、セラミックファイバシート２９の当接面上部に、紙面直交方向に延びるセラミックロープ３２が設けられ、ジョイント部における耐火シール性能を向上させている。セラミックロープ３２は、ニッケルをベースとし、鉄、クロム、ニオブ、モリブデン等の合金元素量が添加されたインコネル（International Nickel Companyの登録商標）を補強線材とするセラミックファイバ紡織材であり、天井壁ブロック２１、２２間のジョイント部に沿って設けられている。
【００４１】
前述した側壁ブロック１９は、支柱１５に対して独立に上下に移動可能に支持されており、図示を略したが、例えば、鉄皮２３の外周面にボルトとナットから構成されるネジ締め構造を形成し、このネジ締め構造で支柱１５に締め付け固定する。側壁ブロック１９を上下に移動させる場合、ネジを緩め、所望の上下位置に移動させたら、再びネジを締め付けて支柱１５に固定する。尚、複数の側壁ブロック１９を組み合わせて構成される側壁９には、必要に応じて補助バーナを設けることができる。
一方、天井壁ブロック２１、２２は、図１５に示されるようなネジ締め構造により固定される。具体的には、天井壁ブロック２１、２２は、鉄皮２３の上面に複数のスタッドボルト３３が立設されており、フレーム１６への固定に際しては、フレーム１６に形成された孔にこのスタッドボルト３３を挿通し、スタッドボルト３３に螺合させた２つのナット３４でフレーム１６を上下で挟み込んで固定する。天井壁ブロック２１、２２の上下位置を調整する場合、下側のナット３４を緩め、上側のナット３４を回して上下位置を調整し、天井ブロック２１、２２が所望の位置に調整できたら、下側のナット３４を回して固定する。仕切壁ブロック２０も同様の構造でフレーム１６に固定される。
ちなみに、仕切壁ブロック２０、天井壁ブロック２１、２２の固定構造はこれに限られる訳ではなく、チェーンにて吊り下げて可動させることでも良い。
【００４２】
そして、以上のような側壁ブロック１９の支柱１５への支持構造、仕切壁ブロック２０及び天井壁ブロック２１、２２のフレーム１６への支持構造において、ネジ締め構造を緩めたり締め付けたりすることにより、ブロック１９〜２２の上下位置を、他のブロック１９〜２２とは独立して自由に調整することができる。
例えば、図１６に示されるように、パレット３の進行方向下流側の仕切壁１０（図１５中右側）を構成する仕切壁ブロック２０を下方に突出させ、バーナ１２、１３が一体的に設けられた天井壁１１を構成する天井壁ブロック２２を下方に突出させ、バーナ１２、１３の火炎をパレット３上の焼結原料Ｍに近づけるような設定が可能となる。
また、図１７に示されるように、仕切壁１０構成する仕切壁ブロック２０を下方に突出させ、天井壁１１を構成するバーナ１２、１３よりも上流側に設けられる天井壁ブロック２１を下方に突出させることも可能である。
【００４３】
さらに、図１８に示されるように、バーナ１３が一体的に設けられた天井壁１１を構成する複数の天井壁ブロック２２のうち、パレット３の幅方向に配列されるバーナ１４が設けられた天井壁ブロック２２を下方に突出させ、バーナ１４の火炎をパレット３上の焼結原料Ｍに近づけるように設定することも可能である。
このように本実施形態に係る点火炉８では、側壁９、仕切壁１０、及び天井壁１１を構成する任意の壁ブロック１９〜２２を上下に移動可能となっており、壁ブロック１９〜２２の任意のブロックを炉内温度に応じて部分的に下方に突出させることも可能であり、天井壁１１を構成する天井壁ブロック２１、２２を全体に下降させ、点火炉８の炉内空間全体の容積を小さくしたり、側壁９の一方を下降させ、下降させた側壁９の近傍の炉内温度を上昇させることが可能である。
【００４４】
次に、前述した構造の点火炉８における点火炉８の炉内温度調整方法について説明する。
まず、点火炉８を点火してバーナ１２、１３、１４から火炎を放射した状態で、バーナ１２、１３、１４の下流側に設置された複数の温度検出センサ１７を用いて、点火炉８内部の温度分布を測定する。
例えば、点火炉８の幅方向の炉内温度の分布が、図１９のグラフＧ１に示されるような形で検出された場合、炉内温度の分布にバラツキが生じないように天井壁１１を構成する天井壁ブロック２１、２２の上下位置を調整する。
【００４５】
具体的には、図１６に示されるように、バーナ１２、１３が設けられた天井壁ブロック２２を下降させ、バーナ１４が設けられた幅方向端部の天井壁ブロック２２は下降させない状態で各バーナ１２〜１４から放射される火炎の上下位置を調整することにより、中央部の炉内温度を上げ、図１９におけるグラフＧ２のように均一な温度分布とすることもできる。
また、天井壁ブロック２１、２２を動かすことなく、側壁ブロック１９を上昇させ、外気の導入量を増加させることにより、端部位置での炉内温度を降下させることで、炉内温度の分布の均一化を図ってもよい。
【００４６】
要するに、本実施形態の点火炉８、及び点火炉８の炉内温度調整方法によれば、側壁９、仕切壁１０、天井壁１１を構成する壁ブロック１９〜２２を任意の上下位置に調整することができるため、温度検出センサ１７で測定された点火炉８の炉内温度の分布に応じて、壁ブロック１９〜２２の上下位置を調整し、点火炉８の炉内温度を均一に制御することが可能となり、パレット３内の焼結原料、の加熱ムラを生じさせることがなく、かつ、安定した品質の焼結鉱を製造することができる。
尚、本実施形態では、側壁９、仕切壁１０、天井壁１１を壁ブロック１９〜２２で分割形成していたが、これに限らず、側壁、仕切壁、天井壁を１つの大きな板体として構成し、これらの壁が独立して上下に移動するように構成してもよく、さらには、側壁、仕切壁、天井壁全てが独立して上下に移動しなければならないわけではなく、少なくともいずれかの壁が上下に移動可能となっていればよい。
【図面の簡単な説明】
【００４７】
【図１】本発明の実施形態に係る焼結機の構造を表す模式側面図。
【図２】前記実施形態における焼結機の構造を表すパレットの移動方向から見た模式正面図。
【図３】前記実施形態における焼結機を構成する点火炉の天井見上げ方向から見た平面図。
【図４】前記実施形態における点火炉のパレットの移動方向から見た正面図。
【図５】図３のＡ１−Ａ１線における断面図。
【図６】図３のＡ２−Ａ２線におけるバーナの配置を表す断面図。
【図７】図３のＡ３−Ａ３線におけるバーナの配置を表す断面図。
【図８】前記実施形態の変形となるバーナの配置を表す断面図。
【図９】前記実施形態における耐火物支持体の構造を表す正面図及び側面図。
【図１０】前記実施形態における金属製支持体の構造を表す正面図、側面図、及び平面図。
【図１１】前記実施形態における他の金属製支持体の構造を表す正面図、側面図、及び平面図。
【図１２】前記実施形態における側壁及び他の壁のジョイント部、又は壁ブロック間のジョイント部における耐火シールの構造を表す模式断面図。
【図１３】前記実施形態の変形となる耐火シールの構造を表す模式断面図。
【図１４】前記実施形態における天井壁のジョイント部の上部の耐火シールの構造を表す模式断面図。
【図１５】前記実施形態における天井壁を構成する天井壁ブロックの固定構造を表す側面図。
【図１６】前記実施形態における天井壁、仕切壁を構成する壁ブロックの一部を下降させた状態を表す模式断面図。
【図１７】前記実施形態における天井壁、仕切壁を構成する壁ブロックの一部を下降させた状態を表す模式断面図。
【図１８】前記実施形態における天井壁を構成する壁ブロックのうち、幅方向端部の壁ブロックを下降させた状態を表す模式断面図。
【図１９】前記実施形態における壁ブロックの上下位置調整により調整された炉内温度の分布の例を表すグラフ。
【符号の説明】
【００４８】
１…焼結機、２…フィーダ、３…パレット、３Ａ…側壁、４…クローラ、５…駆動輪、６…遊動輪、７…ダクト、８…点火炉、９…側壁、１０…仕切壁、１１…天井壁、１２…バーナ、１２Ａ…火炎放射管、１３…バーナ、１３Ａ…火炎放射管、１４…バーナ、１４Ａ…火炎放射管、１５…支柱、１６…フレーム、１７…温度検出センサ、１９…側壁ブロック、２０…仕切壁ブロック、２１…天井壁ブロック、２２…天井壁ブロック、２３…鉄皮、２３Ａ…冷却配管部材、２４…チャンネル材、２５…耐火物支持体、２６…不定形耐火物硬化体、２７…金属製支持体、２８…金属製支持体、２９…セラミックファイバシート、３０…セラミックファイバシート、３１…下方部分、３２…セラミックロープ、３３…スタッドボルト、３４…ナット、２１１…ジョイント面、２２１…ジョイント面、２５１…基部、２５２…凹凸部、２７１…基部、２７２…軸部、２７３…アンカー部、２８１…基部、２８２…軸部、２８３…アンカー部、Ｍ…焼結原料
【図１】
0005211630.tif 000002
【図２】
0005211630.tif 000003
【図３】
0005211630.tif 000004
【図４】
0005211630.tif 000005
【図５】
0005211630.tif 000006
【図６】
0005211630.tif 000007
【図７】
0005211630.tif 000008
【図８】
0005211630.tif 000009
【図９】
0005211630.tif 000010
【図１０】
0005211630.tif 000011
【図１１】
0005211630.tif 000012
【図１２】
0005211630.tif 000013
【図１３】
0005211630.tif 000014
【図１４】
0005211630.tif 000015
【図１５】
0005211630.tif 000016
【図１６】
0005211630.tif 000017
【図１７】
0005211630.tif 000018
【図１８】
0005211630.tif 000019
【図１９】
0005211630.tif 000020